(57)【要約】    【課題】      右チャネルと左チャネルの信号が逆位相であってもモノラル化した際に無音状態が生じないモノラル音響信号の生成すること。    【解決手段】  信号並べ替え部１０２は、モノラルで出力するときは、右チャネル音響信号Ｓ１０１と左チャネル音響信号Ｓ１０２が交互に入れ替わるように並び換え音響信号Ｓ１０３をメモリ部１０３に書き込む。右チャネル／モノラル兼用イコライザ１０４は、メモリ部１０３に記録された並び換え音響信号Ｓ１０３である蓄積右チャネル／モノラル兼用音響信号Ｓ１０４について１サンプルおきにナイキスト周波数以上の周波数成分を除去するフィルタリングを行う。その補正右チャネル／モノラル兼用音響信号Ｓ１０６は、信号切替部１０５を介して左チャネル用イコライザ１０６に与えられ、イコライザ処理がかけられ、出力左チャネル音響信号Ｓ１０８となる。  【選択図】      図１
2005143028.tif 000002
【特許請求の範囲】
【請求項１】
ディジタル化されているステレオの音響信号を再生する音響信号再生装置において、
ステレオの音響信号をモノラルの音響信号に変換するとき、第一チャネル信号と第二チャネル信号とが交互に入れ替わるように並び替えた信号列に対し、第一チャネル用の周波数特性補正手段を用いてナイキスト周波数以上の周波数成分を除去し、それに第二チャネル用の周波数特性補正手段を適用してイコライザ処理を行うことを特徴とするモノラル信号再生方法。
【請求項２】
ディジタル化されているステレオの音響信号を再生する音響信号再生装置において、
ステレオの音響信号をモノラルの音響信号に変換するときは、第一チャネル信号と第二チャネル信号を交互に入れ替わるように並び替えた信号列を生成して第一信号列として出力し、モノラルの音響信号に変換しないときは第一チャネルと第二チャネルの音響信号を並び替えを行わずにそれぞれ第一信号列と第二信号列として出力する並び替え手段と、
前記第一信号列に対してイコライザ処理とナイキスト周波数以上を遮断する処理とを切り替えて行うことができる第一周波数特性補正手段と、
前記第二信号列に対してイコライザ処理を行う第二周波数特性補正手段と、
前記第一周波数特性補正手段の出力と前記並び替え手段から出力された第二信号列とを切り替えて前記第二周波数特性補正手段に入力する第一選択手段と、
前記第一周波数特性補正手段の出力と前記第二周波数特性補正手段の出力とを切り替えて出力する第二選択手段と、
を具備し、
ステレオの音響信号をモノラルの音響信号に変換するときは、前記第一信号列を前記第一周波数特性補正手段に与え、前記第一周波数特性補正手段はナイキスト周波数以上を遮断する処理を行い、前記第一選択手段は前記第一周波数特性補正手段の出力を選択して前記第二周波数特性補正手段に与え、イコライザ処理を行わせ、第二チャネル出力音響信号を得るとともに、前記第二選択手段は前記第二周波数特性補正手段の出力を選択し第一チャネル出力音響信号を得て、
ステレオの音響信号を出力するときは、前記第一信号列を前記第一周波数特性補正手段に与え、イコライザ処理を行わせ、前記第二選択手段は前記第一周波数特性補正手段の出力を選択して第一チャネル出力音響を得るとともに、前記第一選択手段は前記第二信号列を選択して前記第二周波数特性補正手段に与え、イコライザ処理を行わせ、第二チャネル出力音響信号とを得る、ことを特徴とする音響信号再生装置。
【発明の詳細な説明】
【技術分野】
【０００１】
本発明は、ディジタル化されたステレオ音響信号からモノラル音響信号を生成するモノラル信号再生方法及び音響信号再生装置に関する。
【背景技術】
【０００２】
従来、ディジタル化されたステレオ音響信号からモノラル音響信号を生成する方法としては、右チャネル信号と左チャネル信号とを加算する方法が、例えば、特許文献１により知られている。図３を参照して従来のモノラル音響信号再生方法について説明する。図３は、従来の音響信号再生装置の構成例を示すブロック図である。
【０００３】
図３において、音響信号再生装置３００は、ディジタル音響信号生成部３０１と、メモリ部３０２と、右チャネル用イコライザ３０３と、左チャネル用イコライザ３０４と、加算部３０５と、右チャネル信号切替部３０６と、左チャネル信号切替部３０７とで構成される。
【０００４】
ディジタル音響信号生成部３０１は、フレーム単位でステレオ音響信号（右チャネル音響信号Ｓ３０１、左チャネル音響信号Ｓ３０２）を生成する。メモリ部３０２は、ディジタル音響信号生成部３０１が生成したフレーム単位のステレオ音響信号（右チャネル音響信号Ｓ３０１、左チャネル音響信号Ｓ３０２）を右チャネル信号格納領域と左チャネル信号格納領域とに別々に記録する。右チャネル用イコライザ３０３は、例えばＦＩＲ型フィルタで構成され、メモリ部３０２に記録されている蓄積右チャネル音響信号Ｓ３０３の周波数特性を補正する。左チャネル用イコライザ３０４は、例えばＦＩＲ型フィルタで構成され、メモリ部３０２に記録されている蓄積左チャネル音響信号Ｓ３０４の周波数特性を補正する。加算部３０５は、右チャネル用イコライザ３０３が出力する補正右チャネル音響信号Ｓ３０５と左チャネル用イコライザ３０４が出力する補正左チャネル音響信号Ｓ３０６とをそれぞれ２で除算した後に加算してモノラル音響信号Ｓ３０７を出力する。
【０００５】
右チャネル信号切替部３０６は、右チャネル用イコライザ３０３が出力する補正右チャネル音響信号Ｓ３０５と、加算部３０５が出力するモノラル音響信号Ｓ３０７とのいずれかを選択し、それを右チャネル側から出力右チャネル音響信号Ｓ３０８として出力する。左チャネル信号切替部３０７は、左チャネル用イコライザ３０４が出力する補正左チャネル音響信号Ｓ３０６と、加算部３０５が出力する出力するモノラル音響信号Ｓ３０７とのいずれかを選択し、それを左チャネル側から出力左チャネル音響信号Ｓ３０９として出力する。
【０００６】
次に、図３、図４を参照して、従来の音響信号再生装置において実施されるステレオ音響信号からモノラル音響信号を生成する方法について説明する。なお、図４は、図３に示すメモリ部３０２の構成を説明する図である。
【０００７】
まず、ディジタル音響信号生成部３０１は、右チャネル音響信号Ｓ３０１と左チャネル音響信号Ｓ３０２を生成し、メモリ部３０２に書き込む。メモリ部３０２は、図４に示すように、右チャネル信号格納領域４００と左チャネル信号格納領域４０１とに区分されている。そして、右チャネル信号格納領域４００では、その先頭領域にタップ長４０２分のデータ領域４０３が設けられ、それ以降の領域がフレーム長４０４分の右チャネル音響信号の格納領域４０５となっている。つまり、フレーム長４０４分の格納領域４０５の先頭が右チャネル音響信号の書き込み開始アドレスである。
【０００８】
また、左チャネル信号格納領域４０１でも同様に、その先頭領域にタップ長４０６分のデータ領域４０７が設けられ、それ以降の領域がフレーム長４０８分の左チャネル音響信号の格納領域４０９となっている。つまり、フレーム長４０８分の格納領域４０９の先頭が左チャネル音響信号の書き込み開始アドレスである。
【０００９】
すなわち、ディジタル音響信号生成部３０１は、生成した右チャネル音響信号Ｓ３０１を右チャネル信号格納領域４００の開始アドレスからタップ長４０２分後ろに存する右チャネル音響信号の書き込み開始アドレスを先頭にして右チャネル音響信号の格納領域４０５に書き込む。また、ディジタル音響信号生成部３０１は、同様に、生成した左チャネル音響信号Ｓ３０２を左チャネル信号格納領域４０１の開始アドレスからタップ長４０６分後ろに存する左チャネル音響信号の書き込み開始アドレスを先頭にして左チャネル音響信号の格納領域４０９に書き込む。
【００１０】
次に、右チャネル用イコライザ３０３は、右チャネル音響信号の格納領域４０５に記録される右チャネル音響信号の周波数補正を行い、補正右チャネル音響信号Ｓ３０５を得る。同様に、左チャネル用イコライザ３０４は、左チャネル音響信号の格納領域４０９に記録される左チャネル音響信号の周波数補正を行い、補正左チャネル音響信号Ｓ３０６を得る。
【００１１】
このとき、次フレーム処理の準備として、右チャネル用イコライザ３０３は、右チャネルの周波数補正を行った後に補正右チャネル音響信号Ｓ３０５の後ろからタップ長４０２分のデータを右チャネル信号格納領域４００の先頭からデータ領域４０３に書き込む。また、同様に、左チャネル用イコライザ３０４は、左チャネルの周波数補正を行った後に補正左チャネル音響信号Ｓ３０６の後ろからタップ長４０６分のデータを左チャネル信号格納領域４０１の先頭からデータ領域４０７に書き込む。
【００１２】
次に、右チャネル信号切替部３０６及び左チャネル信号切替部３０７は、出力する音響信号の選択を行う。ステレオで出力する場合には、右チャネル信号切替部３０６は補正右チャネル音響信号Ｓ３０５を出力右チャネル音響信号Ｓ３０８として出力し、左チャネル信号切替部３０７は補正左チャネル音響信号Ｓ３０６を出力左チャネル音響信号Ｓ３０９として出力する。モノラルで出力する場合には、右チャネル信号切替部３０６及び左チャネル信号切替部３０７は、加算部３０５の出力であるモノラル音響信号Ｓ３０７をそれぞれ出力右チャネル音響信号Ｓ３０８及び出力左チャネル音響信号Ｓ３０９として出力する。モノラル音響信号Ｓ３０７は、補正右チャネル音響信号Ｓ３０５と補正左チャネル音響信号Ｓ３０６をそれぞれ２で割った後に加算したものである。
【特許文献１】特開２００２−１６９５９３号公報
【発明の開示】
【発明が解決しようとする課題】
【００１３】
しかしながら、従来では、上記したように、右チャネル信号と左チャネル信号とを加算するので、右チャネルと左チャネルの信号とが逆位相の場合には、モノラル化した際に無音になってしまうという問題がある。
【００１４】
本発明は、かかる点に鑑みてなされたものであり、右チャネルと左チャネルの信号が逆位相であってもモノラル化した際に無音状態が生じないモノラル音響信号の生成が行えるモノラル信号再生方法及び音響信号再生装置を提供することを目的とする。
【課題を解決するための手段】
【００１５】
かかる課題を解決するため、本発明のモノラル信号再生方法は、ディジタル化されているステレオの音響信号を再生する音響信号再生装置において、ステレオの音響信号をモノラルの音響信号に変換するとき、第一チャネル信号と第二チャネル信号とが交互に入れ替わるように並び替えた信号列に対し、第一チャネル用の周波数特性補正手段を用いてナイキスト周波数以上の周波数成分を除去し、それに第二チャネル用の周波数特性補正手段を適用してイコライザ処理を行うようにした。
【００１６】
この方法によれば、ステレオの音響信号をモノラルの音響信号に変換するとき、インターポレーションを行った後にエイリアシングノイズの除去を行いつつデシメーションを行ってモノラル音響信号を得るので、第一チャネル（例えば、右チャネル）と第二チャネル（例えば、左チャネル）の信号が逆位相であってもモノラル化した際に無音状態が発生することはない。
【００１７】
また、本発明のディジタル化されているステレオの音響信号を再生する音響信号再生装置は、ステレオの音響信号をモノラルの音響信号に変換するときは、第一チャネル信号と第二チャネル信号を交互に入れ替わるように並び替えた信号列を生成して第一信号列として出力し、モノラルの音響信号に変換しないときは第一チャネルと第二チャネルの音響信号を並び替えを行わずにそれぞれ第一信号列と第二信号列として出力する並び替え手段と、前記第一信号列に対してイコライザ処理とナイキスト周波数以上を遮断する処理とを切り替えて行うことができる第一周波数特性補正手段と、前記第二信号列に対してイコライザ処理を行う第二周波数特性補正手段と、前記第一周波数特性補正手段の出力と前記並び替え手段から出力された第二信号列とを切り替えて前記第二周波数特性補正手段に入力する第一選択手段と、前記第一周波数特性補正手段の出力と前記第二周波数特性補正手段の出力とを切り替えて出力する第二選択手段と、を具備し、ステレオの音響信号をモノラルの音響信号に変換するときは、前記第一信号列を前記第一周波数特性補正手段に与え、前記第一周波数特性補正手段はナイキスト周波数以上を遮断する処理を行い、前記第一選択手段は前記第一周波数特性補正手段の出力を選択して前記第二周波数特性補正手段に与え、イコライザ処理を行わせ、第二チャネル出力音響信号を得るとともに、前記第二選択手段は前記第二周波数特性補正手段の出力を選択し第一チャネル出力音響信号を得て、ステレオの音響信号を出力するときは、前記第一信号列を前記第一周波数特性補正手段に与え、イコライザ処理を行わせ、前記第二選択手段は前記第一周波数特性補正手段の出力を選択して第一チャネル出力音響を得るとともに、前記第一選択手段は前記第二信号列を選択して前記第二周波数特性補正手段に与え、イコライザ処理を行わせ、第二チャネル出力音響信号とを得る、構成を採る。
【００１８】
この構成によれば、既存の構成に若干の機能追加を行う程度で済むので、回路規模の増大を最小限に抑える形で、第一チャネル（例えば、右チャネル）と第二チャネル（例えば、左チャネル）の信号が逆位相であってもモノラル化した際に無音状態を発生しない音響信号再生装置が得られる。
【発明の効果】
【００１９】
本発明によれば、ステレオの音響信号をモノラルの音響信号に変換するとき、右チャネル信号と左チャネル信号とを加算するのではなく、右チャネル信号と左チャネル信号との間で交互に入れ替わるように並び替えた信号列からモノラルの音響信号を得るので、右チャネルと左チャネルの信号が逆位相であってもモノラル化した際に無音状態が発生しないようにすることができる。
【発明を実施するための最良の形態】
【００２０】
本発明の骨子は、ステレオの音響信号をモノラル化する場合に、右チャネルと左チャネルが逆位相の信号であっても無音状態が生じないモノラル音響信号を得ることにある。
【００２１】
以下、本発明の実施の形態について図面を参照して詳細に説明する。
【００２２】
（実施の形態１）
図１は本発明の一実施の形態に係る音響信号再生装置の構成を示すブロック図である。図１に示す音響信号再生装置１００は、ディジタル音響信号生成部１０１と、信号並べ替え部１０２と、メモリ部１０３と、右チャネル／モノラル兼用イコライザ１０４と、左チャネル信号切替部１０５と、左チャネル用イコライザ１０６と、右チャネル信号切替部１０７とを備えている。
【００２３】
ディジタル音響信号生成部１０１は、フレーム単位でステレオ音響信号（右チャネル音響信号Ｓ１０１、左チャネル音響信号Ｓ１０２）を生成する。信号並べ替え部１０２は、
外部に出力する音響信号をステレオにするかモノラルにするかに応じて、ディジタル音響信号生成部１０１が生成する右チャネル音響信号Ｓ１０１と左チャネル音響信号Ｓ１０２とをどのようにメモリ部１０３に書き込むかを制御する。
【００２４】
図１では、信号並べ替え部１０２は、ディジタル音響信号生成部１０１の出力をステレオで出力する場合に、ディジタル音響信号生成部１０１が生成する右チャネル音響信号Ｓ１０１と左チャネル音響信号Ｓ１０２とから並び換え音響信号Ｓ１０３を生成し、メモリ部１０３に書き込む場合が示されている。この場合には、メモリ部１０３には、蓄積右チャネル／モノラル兼用音響信号Ｓ１０４のみが記録されている。
【００２５】
また、図１では示されてないが、信号並べ替え部１０２は、ステレオで出力する場合には、ディジタル音響信号生成部１０１が生成する右チャネル音響信号Ｓ１０１と左チャネル音響信号Ｓ１０２とを別個独立にメモリ部１０３に書き込む。この場合には、メモリ部１０３には、蓄積右チャネル／モノラル兼用音響信号Ｓ１０４と蓄積左チャネル音響信号Ｓ１０５とが記録されている。
【００２６】
右チャネル／モノラル兼用イコライザ１０４は、例えばＦＩＲフィルタで構成され、メモリ部１０３に記録されている蓄積右チャネル／モノラル兼用音響信号Ｓ１０４の周波数特性を補正し、補正右チャネル／モノラル兼用音響信号Ｓ１０６を出力する。その際に、ディジタル音響信号生成部１０１の出力をステレオで出力するかモノラルで出力するかによって周波数補正特性が変更できるようになっている。すなわち、右チャネル／モノラル兼用イコライザ１０４は、ステレオで出力する場合はイコライザ処理が行え、モノラルで出力する場合はナイキスト周波数以上を遮断する処理が行えるようになっている。
【００２７】
左チャネル信号切替部１０５は、メモリ部１０３に記録されている蓄積左チャネル音響信号Ｓ１０５と、右チャネル／モノラル兼用イコライザ１０４が出力する補正右チャネル／モノラル兼用音響信号Ｓ１０６とを切り換えて、左チャネル用イコライザ１０６に入力する選択左チャネル音響信号Ｓ１０７を生成する。
【００２８】
左チャネル用イコライザ１０６は、例えばＦＩＲフィルタで構成され、左チャネル信号切替部１０５の出力である選択左チャネル音響信号Ｓ１０７の周波数特性をイコライザ処理し、実際に右チャネル側から出力する出力左チャネル音響信号Ｓ１０８を得る。
【００２９】
右チャネル信号切替部１０７は、右チャネル／モノラル兼用イコライザ１０４が出力する補正右チャネル／モノラル兼用音響信号Ｓ１０６と、左チャネル用イコライザ１０６が出力する出力左チャネル音響信号Ｓ１０８とを切り換えて、実際に右チャネル側から出力する出力右チャネル音響信号Ｓ１０９を得る。
【００３０】
次に、図１、図２を参照して、本実施の形態に係る音響信号再生装置において実施されるステレオ音響信号からモノラル音響信号を生成する方法について説明する。なお、図２は、図１に示すメモリ部の構成を説明する図である。
【００３１】
まず、ディジタル音響信号生成部１０１は、右チャネル音響信号Ｓ１０１と左チャネル音響信号Ｓ１０２を生成し、信号並べ替え部１０２に出力する。メモリ部１０３には、図２に示すように、右チャネル信号格納領域２００と左チャネル信号格納領域２０１とが設けられる。
【００３２】
この右チャネル信号格納領域２００は、その先頭領域にタップ長２０２分のデータ領域２０３が設けられ、それ以降の領域がフレーム長２０４分の右チャネル／モノラル兼用音響信号格納領域２０５となっている。つまり、フレーム長２０４分の右チャネル／モノラル兼用音響信号格納領域２０５の先頭が右チャネル／モノラル音響信号書き込み開始アドレスである。
【００３３】
また、左チャネル信号格納領域２０１も、同様に、その先頭領域にタップ長２０６分のデータ領域２０７が設けられ、それ以降の領域がフレーム長２０８分の左チャネル音響信号格納領域２０９となっている。つまり、フレーム長２０８分の左チャネル音響信号格納領域２０９の先頭が左チャネル音響信号書き込み開始アドレスである。
【００３４】
つまり、信号並べ替え部１０２は、右チャネル／モノラル兼用音響信号格納領域２０５に書き込むときは、右チャネル信号格納領域２００の開始アドレスからタップ長２０２分後ろに存在する音響信号書き込み開始アドレスを先頭にして書き込む。また、左チャネル音響信号格納領域２０９に書き込むときは、左チャネル信号格納領域２０１の開始アドレスからタップ長２０６分後ろに存在する左チャネル音響信号格納領域２０９の先頭アドレスから書き込むことになる。
【００３５】
このとき、信号並べ替え部１０２は、ステレオで出力する場合は、右チャネル音響信号Ｓ１０１を右チャネル／モノラル兼用音響信号格納領域２０５に書き込む。また、左チャネル音響信号Ｓ１０２を左チャネル音響信号格納領域２０９に書き込む。
【００３６】
一方、信号並べ替え部１０２は、モノラルで出力するときは、右チャネル音響信号Ｓ１０１と左チャネル音響信号Ｓ１０２とが交互に入れ替わるように並び換える並び換え音響信号Ｓ１０３を生成し、メモリ部１０３の右チャネル／モノラル兼用音響信号格納領域２０５に次のようにして書き込む。なお、この場合は、左チャネル音響信号格納領域２０９は不使用となる。
【００３７】
すなわち、１フレームの要素数をＮ、右チャネル音響信号Ｓ１０１の信号列をＸＲ［Ｎ］、左チャネル音響信号Ｓ１０２の信号列をＸＬ［Ｎ］とした場合、数式（１）に示すような信号列ＸＮ［２×Ｎ］を右チャネル／モノラル兼用音響信号格納領域２０５に書き込む。
XN[2×N]={XL[1],XR[1],XL[2],XR[2],XL[3],XR[3],・・・XL[N],XR[N]}  ・・・  （１）
【００３８】
以下、モノラルで出力する場合の処理を説明する。右チャネル／モノラル兼用イコライザ１０４は、メモリ部１０３内の右チャネル／モノラル兼用音響信号格納領域２０５内の音響信号を蓄積右チャネル／モノラル兼用音響信号Ｓ１０４としてフィルタリングを行い、補正右チャネル／モノラル兼用音響信号Ｓ１０６を得る。
【００３９】
信号列ＸＮ［２×Ｎ］は、右チャネルと左チャネルをお互いにインターポレーション（interpolation：補間）した関係にあるので、サンプリングレートが倍になったものと想定できる。よって、エイリアシングノイズを除去するために、右チャネル／モノラル兼用イコライザ１０４は、右チャネル音響信号Ｓ１０１及び左チャネル音響信号Ｓ１０２のサンプリングレートの半分の周波数を通過させるような特性にしておく。さらに、フィルタリングした結果の出力がフレーム長であるＮ個の要素になるように、以下の方法でフィルタリングを行う。
【００４０】
【数１】
2005143028.tif 000003
但し、数式（２）において、ＸＭ[n]は補正右チャネル／モノラル兼用音響信号Ｓ１０６（要素数：Ｎ）であり、Ｔはフィルタタップ長であり、coef[m]はフィルタ係数（要素数：Ｔ）である。
【００４１】
また、右チャネル／モノラル兼用イコライザ１０４は、次フレームの処理の準備としてエイリアシング除去を行ったのちに補正右チャネル／モノラル兼用音響信号Ｓ１０６の後ろからタップ長２０２分のデータをメモリ部１０３の先頭アドレスからデータ領域２０３に書き込む。
【００４２】
次に、左チャネル信号切替部１０５は、左チャネル用イコライザ１０６に送信する信号を選択する。今の例では、モノラル信号を生成するので、補正右チャネル／モノラル兼用音響信号Ｓ１０６を選択左チャネル音響信号Ｓ１０７として左チャネル用イコライザ１０６に送信する。
【００４３】
左チャネル用イコライザ１０６は、選択左チャネル音響信号Ｓ１０７を受けて周波数補正を行い、出力左チャネル音響信号Ｓ１０８を得て、外部に出力する。右チャネル信号切替部１０７は、モノラル信号を出力する場合は、出力左チャネル音響信号Ｓ１０８を出力右チャネル音響信号Ｓ１０９として出力する。なお、左チャネル用イコライザ１０６では、次フレームためのタップ部分更新が同様に行われる。このように、加算処理を行うことなく、モノラル信号を出力することができる。
【００４４】
なお、ステレオ信号を出力する場合は、上記のように、信号並べ替え部１０２が、右チャネル音響信号Ｓ１０１を右チャネル／モノラル兼用音響信号格納領域２０５に書き込む。また、左チャネル音響信号Ｓ１０２を左チャネル音響信号格納領域２０９に書き込む。そして、右チャネル/モノラル兼用イコライザ１０４が蓄積右チャネル音響信号Ｓ１０４をイコライザ処理し、補正右チャネル／モノラル兼用音響信号Ｓ１０６を右チャネル信号切替部１０７に与え、出力右チャネル音響信号Ｓ１０９とする。また、左チャネル信号切替部１０５が蓄積左チャネル音響信号Ｓ１０５を選択左チャネル音響信号Ｓ１０７として左チャネル用イコライザ１０６に与え、イコライザ処理を行い、出力左チャネル音響信号Ｓ１０８として出力すればよい。
【００４５】
このように、本実施の形態によれば、ステレオ信号をモノラル信号に変換する場合、右チャネル信号と左チャネル信号との間でインターポレーションした後にエイリアシングノイズ除去フィルタをかけながらデシメーション（decimation：間引き）を行うので、右チャネルと左チャネルの音響信号が逆位相であっても無音にならないモノラル信号が生成できる。このとき、既存のイコライザを利用することができるので、回路規模の増大を最小限に抑えることができる。
【産業上の利用可能性】
【００４６】
本発明は、携帯電話機やオーディオプレーヤなどにおいて、ディジタル化されているステレオの音響信号を再生する場合に、モノラルの音響信号を生成するのに好適である。
【図面の簡単な説明】
【００４７】
【図１】本発明の一実施の形態に係る音響信号再生装置の構成を示すブロック図
【図２】図１に示すメモリ部の構成を説明する図
【図３】従来の音響信号再生装置の構成例を示すブロック図
【図４】図３に示すメモリ部の構成を説明する図
【符号の説明】
【００４８】
１００  音響信号再生装置
１０１  ディジタル音響信号生成部
１０２  信号並べ替え部
１０３  メモリ部
１０４  右チャネル／モノラル兼用イコライザ
１０５  左チャネル信号切替部
１０６  左チャネル用イコライザ
１０７  右チャネル信号切替部
【図１】
2005143028.tif 000004
【図２】
2005143028.tif 000005
【図３】
2005143028.tif 000006
【図４】
2005143028.tif 000007